(57)【要約】【課題】  ワイヤ製のルーバーに付設された運搬用取手が脱落・変形することを防止した空気調和機の室外機を提供すること。【解決手段】  コーナー支柱５を介してフロントパネル１２とリアパネル９の間に設けられたルーバー２１は、縦方向針金２が交差した横方向針金３，４，１０，１１の一端部をコーナー支柱５に接合させたことにより形成され、さらに、針金製の運搬用取手６を備えたものである。そして、このルーバー２１に針金製の運搬用取手６を設ける際には、運搬用取手６の一端部を横方向短手針金１０の一端部と一体的にコーナー支柱５に溶接接合させる一方で、運搬用取手６の他端部を当該横方向短手針金１０と縦方向針金２がクロスした箇所から当該縦方向針金２に沿って溶接接合させるとともに、当該縦方向針金２から突き出させた運搬用取手６の他端部の先端部分をフロントパネル１２に支承させる。【選択図】  図１
2005098614.tif 000002
【特許請求の範囲】
【請求項１】
針金の両端部をハウジング間で支設させたことにより形成したルーバーと、
前記ルーバーに設けられた針金製の運搬用取手と、を備え、
前記運搬用取手の両端部を前記ルーバーの針金の両端部にそれぞれ固定させながら前記ハウジングに支設させたこと、を特徴とする空気調和機の室外機。
【請求項２】
コーナー支柱を介して筐体パネル間に設けられるとともに、縦方向針金が交差した横方向針金の一端部を前記筐体パネルに接合させたことにより形成したルーバーと、
前記ルーバーに設けられた針金製の運搬用取手と、を備え、
前記運搬用取手の一端部を前記横方向針金の一端部と一体的に前記筐体パネルに接合させる一方で、前記運搬用取手の他端部を当該横方向針金と前記縦方向針金の交点から当該縦方向針金に沿って接合させるとともに、当該縦方向針金から突き出させた前記運搬用取手の他端部の先端部分を前記筐体パネルに支承させたこと、を特徴とする空気調和機の室外機。
【請求項３】
前記運搬用取手の他端部の先端部分を前記筐体パネルに挿設させることにより、前記運搬用取手の他端部の先端部分を前記筐体パネルに支承させたこと、を特徴とする請求項２に記載の空気調和機の室外機。
【請求項４】
前記横方向針金の他端部の先端部分を前記筐体パネルに支承させたこと、を特徴とする請求項２に記載の空気調和機の室外機。
【請求項５】
前記横方向針金の他端部の先端部分を前記筐体パネルに挿設させたことにより、前記横方向針金の他端部の先端部分を前記筐体パネルに支承させたこと、を特徴とする請求項４に記載の空気調和機の室外機。
【発明の詳細な説明】
【技術分野】
【０００１】
本発明は、ワイヤ製のルーバーを有した空気調和機（プレハブ冷凍庫を含む）の室外機に関するものである。
【背景技術】
【０００２】
従来、大量の野菜や果実その他肉や魚等の生鮮食品を、長期にわたり冷蔵庫や冷凍庫等として、例えば、貯蔵庫本体をプレハブ式の建造物で構成した業務用の冷蔵庫が知られている。この種の大型冷蔵庫では、庫内に配設した冷却ユニットを稼働させるための熱交換ユニットを、貯蔵庫本体の外部に配置している。また、冷房・暖房運転を行う空気調和機においても、室内の冷暖房ユニットに接続する熱交換ユニットを室外機に備えるようになっている。この点、本発明は、プレハブ式冷蔵庫の熱交換ユニット及び空気調和機の熱交換ユニットに関するものであるが、説明の便宜上、それらの熱交換ユニットを空気調和機の室外機と記載する。
【０００３】
従来の空気調和機の室外機には、放熱のための吸気口の役割を果たすルーバーが設けられている。この点、ルーバーには、ハウジングの板材に多数の通気口を設けて構成するもの（以下、「金属製のルーバー」という）がある（例えば、特許文献１参照）。
【特許文献１】実開平５−８３６３４号公報（第５頁、第１図）
【０００４】
また、ルーバーには、ワイヤを格子状に組み合わせて構成するものもある。そこで、ここでは、ワイヤ製のルーバーを図面を参照にして説明する。図４は、ワイヤ製のルーバーを有した空気調和機の室外機の分解斜視図である。図４に示すように、空気調和機の室外機１００では、凝縮器１０１や送風ファン１０２などの機器類がベースパネル１０３に載置されている。また、ベースパネル１０３に対しては、それらの機器類を包容するためのフロントパネル１０４やリアパネル１０５が固定され、さらに、大きく格子状に組み合わされたワイヤ金網１０６，１０７が溶接されたコーナー支柱１０８も固定される。このとき、ワイヤ金網１０６，１０７を構成するワイヤの一部の先端は、フロントパネル１０４やリアパネル１０５やベースパネル１０３に固定される。そして、フロントパネル１０４やリアパネル１０５やコーナー支柱１０８に対して、トップパネル１０９が固定される。
【０００５】
従って、空気調和機の室外機１００では、フロントパネル１０４とコーナー支柱１０８の間に位置するワイヤ金網１０６や、コーナー支柱１０８とリアパネル１０５の間に位置するワイヤ金網１０７を介して、送風ファン１０２によって吸い込まれた風を凝縮器１０１にあてることができるので、凝縮器１０１を放熱させることができる。よって、フロントパネル１０４とコーナー支柱１０８の間に位置するワイヤ金網１０６や、コーナー支柱１０８とリアパネル１０５の間に位置するワイヤ金網１０７は、放熱のための吸気口の役割を果たすワイヤ製のルーバーを構成している。尚、ワイヤ製のルーバーは、凝縮器１０１のフィン構造が損傷することを防止する保護ガードの役目も果たす。
【０００６】
そして、空気調和機の室外機１００におけるワイヤ製のルーバーを、「金属製のルーバー」と比較すると、吸気口の面積を広く確保でき、凝縮器１０１に対する放熱効果が高いので、外気温が上昇しても、冷凍回路保護機能による停止が発生することが殆どない。また、面積が広く確保された吸気口は通気性がよいので、騒音が小さい。また、面積が広く確保された吸気口を介して、凝縮器１０１を掃除することも容易となるので、凝縮器１０１を掃除する際にワイヤ金網１０６，１０７を外す必要がない。
【発明の開示】
【発明が解決しようとする課題】
【０００７】
しかしながら、空気調和機の室外機１００においては、軒下・屋上・壁といった様々な場所に設置されるため、運搬用の運搬用取手を備えると便利であるが、この点、フロントパネル１０４の右側面に樹脂製の運搬用取手１１０を一つ備えるだけであった。なぜなら、フロントパネル１０４の右側面の運搬用取手１１０に対向する位置にあるワイヤ金網１０６は、凝縮器１０１のフィン構造が損傷することを防止する程度の強度しか確保されておらず、運搬用の運搬用取手を付設すると、当該運搬用取手がワイヤ金網１０６から脱落したり、ワイヤ金網１０６自身が変形するおそれがあるからである。また、コーナー支柱１０８とリアパネル１０５の間に位置するワイヤ金網１０７についても、同様であり、凝縮器１０１のフィン構造が損傷することを防止する程度の強度しか確保されていないので、運搬用の運搬用取手を付設すると、当該運搬用取手がワイヤ金網１０７から脱落したり、ワイヤ金網１０７自身が変形するおそれがある。従って、空気調和機の室外機１００を運搬する際には、一方の手を運搬用取手１１０に掛けつつ、他方の手をベースパネル１０３の下に掛けなければならず、不安定な姿勢での作業を強いられていた。
【０００８】
そこで、本発明は、上述した点を鑑みてなされたものであり、ワイヤ製のルーバーに付設された運搬用取手が脱落・変形することを防止した空気調和機の室外機を提供することを課題とする。
【課題を解決するための手段】
【０００９】
この課題を解決するために成された請求項１に係る発明は、針金の両端部をハウジング間で支設させたことにより形成したルーバーと、前記ルーバーに設けられた針金製の運搬用取手と、を備え、前記運搬用取手の両端部を前記ルーバーの針金の両端部にそれぞれ固定させながら前記ハウジングに支設させたこと、を特徴としている。
【００１０】
また、請求項２に係る発明は、空気調和機の室外機であって、コーナー支柱を介して筐体パネル間に設けられるとともに、縦方向針金が交差した横方向針金の一端部を前記コーナー支柱に接合させたことにより形成したルーバーと、前記ルーバーに設けられた針金製の運搬用取手と、を備え、前記運搬用取手の一端部を前記横方向針金の一端部と一体的に前記コーナー支柱に接合させる一方で、前記運搬用取手の他端部を当該横方向針金と前記縦方向針金の交点から当該縦方向針金に沿って接合させるとともに、当該縦方向針金から突き出させた前記運搬用取手の他端部の先端部分を前記筐体パネルに支承させたこと、を特徴としている。
【００１１】
また、請求項３に係る発明は、請求項２に記載の空気調和機の室外機であって、前記運搬用取手の他端部の先端部分を前記筐体パネルに挿設させることにより、前記運搬用取手の他端部の先端部分を前記筐体パネルに支承させたこと、を特徴としている。
【００１２】
また、請求項４に係る発明は、請求項２に記載の空気調和機の室外機であって、前記横方向針金の他端部の先端部分を前記筐体パネルに支承させたこと、を特徴としている。
【００１３】
また、請求項５に係る発明は、請求項４に記載の空気調和機の室外機であって、前記横方向針金の他端部の先端部分を前記筐体パネルに挿設させたことにより、前記横方向針金の他端部の先端部分を前記筐体パネルに支承させたこと、を特徴としている。
【発明の効果】
【００１４】
すなわち、本発明の空気調和機の室外機では、ハウジング間に設けられたルーバーが、針金の両端部をハウジング間で支設されたことにより形成され、さらに、針金製の運搬用取手を備えたものであるが、このルーバーに針金製の運搬用取手を設ける際において、運搬用取手の両端部をルーバーの針金の両端部にそれぞれ固定させながらハウジングに支設させており、ルーバーから脱落・変形しない形状・加工で運搬用取手を付設していることから、ワイヤ製のルーバーに付設された運搬用取手が脱落・変形することを防止することができる。
【００１５】
また、本発明の空気調和機の室外機では、コーナー支柱を介して筐体パネル間に設けられたルーバーが、縦方向針金が交差した横方向針金の一端部をコーナー支柱に接合させたことにより形成され、さらに、針金製の運搬用取手を備えたものであるが、このルーバーに針金製の運搬用取手を設ける際において、運搬用取手の一端部を横方向針金の一端部と一体的にコーナー支柱に接合させる一方で、運搬用取手の他端部を当該横方向針金と縦方向針金の交点から当該縦方向針金に沿って接合させるとともに、当該縦方向針金から突き出させた運搬用取手の他端部の先端部分を筐体パネルに支承させており、ルーバーから脱落・変形しない形状・加工で運搬用取手を付設していることから、ワイヤ製のルーバーに付設された運搬用取手が脱落・変形することを防止することができる。
【００１６】
また、本発明の空気調和機の室外機において、運搬用取手の他端部の先端部分を筐体パネルに挿設させることにより、運搬用取手の他端部の先端部分を筐体パネルに支承させれば、溶接・螺設などの固定手段を用いることなく、運搬用取手の他端部の先端部分を筐体パネルに支承させることができるので、運搬用取手を付設されたルーバーの組付が容易となるとともに、また、コーナー支柱と接合する運搬用取手の一端部における運搬時の荷重負担が軽減される。
【００１７】
また、本発明の空気調和機の室外機において、横方向針金の他端部の先端部分を筐体パネルに支承させれば、ワイヤ製のルーバーの横方向針金に運搬時の荷重の一部を負担させることができるので、運搬用取手における運搬時の荷重負担が軽減される。
【００１８】
また、本発明の空気調和機の室外機において、横方向針金の他端部の先端部分を筐体パネルに挿設させたことにより、横方向針金の他端部の先端部分を筐体パネルに支承させれば、溶接・螺設などの固定手段を用いることなく、横方向針金の他端部の先端部分を筐体パネルに支承させることができるので、運搬用取手を付設されたルーバーの組付が容易となる。
【発明を実施するための最良の形態】
【００１９】
以下、本発明の実施の形態を図面を参照にして説明する。図１は、本実施の形態の空気調和機の室外機においてワイヤ製のルーバーを外した際の斜視図である。図２は、本実施の形態の空気調和機の室外機から取り外されたワイヤ製のルーバーの斜視図である。図３は、本実施の形態の空気調和機の室外機においてワイヤ製のルーバーをフロントパネルに組み付けた際の斜視図である。
【００２０】
先ず、図２に基づいて、本実施の形態の空気調和機の室外機２０（図１，図３参照）に組み付けられるワイヤ製のルーバー２１の形状について説明する。図２に示すように、ワイヤ製のルーバー２１は、略Ｌ字の形状をなしており、等間隔で平行に並んだ数本の横方向長手針金３及び数本の横方向短手針金４，１０，１１がコーナー支柱５に溶接固定され、さらに、それらの横方向針金３，４，１０，１１に対して、数本の縦方向針金２が溶接固定されており、これにより、横方向針金３，４，１０，１１と縦方向針金２が格子状に固定されている。尚、横方向針金１０，１１は、横方向針金４よりも若干長くしている。また、一部の縦方向針金２や横方向針金３の一端には、固定用のフック７が形成されている。
【００２１】
さらに、ワイヤ製のルーバー２１では、横方向短手針金１０に対して、針金製の運搬用取手６が溶接されている。この点、運搬用取手６は、手を入れて握れるようにするために、外部に突出した凸状に加工されている。また、運搬用取手６の一端部６Ａは、横方向短手針金１０の一端部１０Ａと密着させながら、コーナー支柱５に溶接固定されている。一方、運搬用取手６の他端部６Ｂは、横方向短手針金１０と縦方向針金２がクロスした箇所Ｐから下方に向けて当該縦方向針金２に沿わせながら溶接固定されている。さらに、運搬用取手６の他端部６Ｂの先端部分６Ｃには、横方向針金４，１０，１１と平行になるように曲げが設けられている。
【００２２】
次に、図１又は図３に基づいて、本実施の形態の空気調和機の室外機２０にワイヤ製のルーバー２１を組み付ける方法について説明する。図１に示す本実施の形態の空気調和機の室外機２０では、ベースパネル８に対して、フロントパネル１２やリアパネル９が固定されており、さらに、フロントパネル１２やリアパネル９に対して、アッパーパネル１７が固定されている。ここで、本実施の形態の空気調和機の室外機２０にワイヤ製のルーバー２１を組み付けるには、ベースパネル８及びアッパーパネル１７に対して、コーナー支柱５をネジ固定すると同時に、ベースパネル８又はリアパネル９に対して、縦方向針金２や横方向針金３のフック７をネジ固定する。このとき、図３に示すように、運搬用取手６の他端部６Ｂの先端部分６Ｃは、フロントパネル１２の側面に設けられた角穴１５に挿入される。また、運搬用取手６が溶接固定された横方向短手針金１０の他端部１０Ｂの先端部分１０Ｃも、フロントパネル１２の側面に設けられた角穴１４に挿入される。さらに、横方向短手針金１１の他端部１１Ｂの先端部分１１Ｃも、フロントパネル１２の側面に設けられた角穴１６に挿入される。尚、横方向短手針金１１の一端部１１Ａは、図２で説明したように、コーナー支柱５に溶接固定されている。
【００２３】
従って、本実施の形態の空気調和機の室外機２０では、正面から見たフロントパネル１２の左側面において、外部に突出した凸状の運搬用取手６が設けられている。さらに、図示しないが、正面から見たフロントパネル１２の右側面においては、背景技術の欄で説明したように、樹脂製の運搬用取手（図４の運搬用取手１１０参照）を備えている。よって、本実施の形態の空気調和機の室外機２０を運搬する際には、フロントパネル１２の左側面に設けられた運搬用取手６に一方の手を掛けつつ、フロントパネル１２の右側面に設けられた不図示の運搬用取手（図４の運搬用取手１１０参照）に他方の手を掛けて運搬できるので、運搬時の作業姿勢が安定となる。
【００２４】
また、フロントパネル１２の左側面に設けられた運搬用取手６は外部に突出した凸状の形状を有していることから、フロントパネル１２の左側面を壁に沿わせるようにして、本実施の形態の空気調和機の室外機２０を設置しても、凸状の運搬用取手６により、当該壁とフロントパネル１２の左側面が密着することがないことから、放熱のための吸気口を必ず確保することができる。
【００２５】
以上詳細に説明したように、本実施の形態の空気調和機の室外機２０では、図１に示すように、コーナー支柱５を介してフロントパネル１２とリアパネル９の間に設けられたルーバー２１が、縦方向針金２が交差した横方向針金３，４，１０，１１の一端部をコーナー支柱５に接合させたことにより形成され、さらに、針金製の運搬用取手６を備えている。そして、このルーバー２１に針金製の運搬用取手６を設ける際には、図２に示すように、運搬用取手６の一端部６Ａを横方向短手針金１０の一端部１０Ａと一体的にコーナー支柱５に溶接接合させる一方で、運搬用取手６の他端部６Ｂを当該横方向短手針金１０と縦方向針金２がクロスした箇所Ｐから下方に向けて当該縦方向針金２に沿って溶接接合させるとともに、図３に示すように、当該縦方向針金２から突き出させた運搬用取手６の他端部６Ｂの先端部分６Ｃをフロントパネル１２に支承させている。よって、ルーバー２１から脱落・変形しない形状・加工で運搬用取手６を付設していることから、ワイヤ製のルーバー２１に付設された運搬用取手６が脱落・変形することを防止することができる。
【００２６】
また、本実施の形態の空気調和機の室外機２０では、図３に示すように、運搬用取手６の他端部６Ｂの先端部分６Ｃをフロントパネル１２の角穴１５に挿入させることにより、運搬用取手６の他端部６Ｂの先端部分６Ｃをフロントパネル１２に支承させており、溶接・螺設などの固定手段を用いることなく、運搬用取手６の他端部６Ｂの先端部分６Ｃをフロントパネルに支承させることができるので、運搬用取手６を付設されたルーバー２１の組付が容易となるとともに（図１参照）、また、コーナー支柱５と接合する運搬用取手６の一端部６Ａ（図２参照）における運搬時の荷重負担が軽減される。
【００２７】
また、本実施の形態の空気調和機の室外機２０では、図３に示すように、横方向短手針金１０，１１の他端部１０Ｂ，１１Ｂの先端部分１０Ｃ，１１Ｃをフロントパネル１２に支承させており、ワイヤ製のルーバー２１の横方向短手針金１０，１１に運搬時の荷重の一部を負担させることができるので、運搬用取手６における運搬時の荷重負担が軽減される。
【００２８】
また、本実施の形態の空気調和機の室外機２０では、図３に示すように、横方向短手針金１０，１１の他端部１０Ｂ，１１Ｂの先端部分１０Ｃ，１１Ｃをフロントパネル１２の角穴１４，１６に挿入させることにより、横方向短手針金１０，１１の他端部１０Ｂ，１１Ｂの先端部分１０Ｃ，１１Ｃをフロントパネル１２に支承させており、溶接・螺設などの固定手段を用いることなく、横方向短手針金１０，１１の他端部１０Ｂ，１１Ｂの先端部分１０Ｃ，１１Ｃをフロントパネル１２に支承させることができるので、運搬用取手６を付設されたルーバー２１の組付が容易となる（図１参照）。
【００２９】
尚、本発明は上記実施の形態に限定されるものでなく、その趣旨を逸脱しない範囲で様々な変更が可能である。
例えば、本実施の形態の空気調和機の室外機２０では、正面から見たフロントパネル１２の左側面において、運搬用取手６が横方向短手針金１０に付設されている。この点、運搬用取手６を横方向短手針金１１に付設させてもよい。もっとも、この場合には、運搬用取手６の他端部６Ｂは、横方向短手針金１１と縦方向針金２がクロスした箇所から上方に向けて当該縦方向針金２に沿わせながら溶接固定させ、これにより、運搬用取手６の他端部６Ｂの先端部分６Ｃを、フロントパネル１２の側面に設けられた角穴１５に挿入させる。
【産業上の利用可能性】
【００３０】
本発明は、ワイヤ製のルーバーを備えた筐体をもって運搬する用途に適用できる。
【図面の簡単な説明】
【００３１】
【図１】本発明の一実施形態による空気調和機の室外機においてワイヤ製のルーバーを外した際の斜視図である。
【図２】本発明の一実施形態による空気調和機の室外機から取り外されたワイヤ製のルーバーの斜視図である。
【図３】本発明の一実施形態による空気調和機の室外機においてワイヤ製のルーバーをフロントパネルに組み付けた際の斜視図である。
【図４】背景技術の空気調和機の室外機であって、ワイヤ製のルーバーを有したものの分解斜視図である。
【符号の説明】
【００３２】
２      縦方向針金
３      横方向長手針金
４      横方向短手針金
５      コーナー支柱
６      運搬用取手
６Ａ    運搬用取手の一端部
６Ｂ    運搬用取手の他端部
６Ｃ    運搬用取手の他端部の先端部分
７      フック
８      ベースパネル
９      リアパネル
１０    横方向短手針金
１０Ｂ  横方向短手針金の他端部
１０Ｃ  横方向短手針金の他端部の先端部分
１１    横方向短手針金
１１Ｂ  横方向短手針金の他端部
１１Ｃ  横方向短手針金の他端部の先端部分
１２    フロントパネル
１４    フロントパネルの角穴
１５    フロントパネルの角穴
１６    フロントパネルの角穴
１７    アッパーパネル
２０    空気調和機の室外機
２１    ワイヤ製のルーバー
【図１】
2005098614.tif 000003
【図２】
2005098614.tif 000004
【図３】
2005098614.tif 000005
【図４】
2005098614.tif 000006